(57)【特許請求の範囲】
【請求項１】
光源部と、
該光源部が発した光を前面から出射する導光板と、
前記光源部を、前記導光板の周面に対向させて支持する支持部材と
を備える光源装置であって、
前記光源部は、複数の光源と、前記複数の光源が実装された表面を有する光源基板とを有し、
前記支持部材は、前記導光板の後面に対向する面を有し、該面には、前記光源基板の前記表面が前記導光板の単一の端面に正対するように前記光源部を取り付けるべき複数の取付部が設けてあり、
前記複数の取付部は、前記光源部が前記複数の取付部のそれぞれに取り付けられた場合の前記光源部と前記導光板の前記単一の端面との正対方向の離隔距離が異なるよう配してあり、
前記光源部は、前記複数の取付部のいずれかに取り付けられている光源装置。
【請求項２】
前記支持部材は、前記光源部が発した熱を放熱する放熱部材である請求項１に記載の光源装置。
【請求項３】
前記複数の取付部が、前記導光板の後面に対向する前記面に設けられた複数の凹部である、請求項１または２に記載の光源装置。
【請求項４】
前記複数の凹部のいずれかに前記光源基板が嵌脱可能に嵌め込まれる請求項３に記載の光源装置。
【請求項５】
前記光源部は、前記光源基板の前記表面とは反対側の面に接触し前記光源部が発した熱を伝達する熱伝達部材をさらに有し、
前記複数の凹部のいずれかに前記熱伝達部材が嵌脱可能に嵌め込まれる請求項３に記載の光源装置。
【請求項６】
請求項１乃至５の何れか一項に記載の光源装置と、
該光源装置によって背面側から照明される表示パネルと
を備える表示装置。
【発明の詳細な説明】
【技術分野】
【０００１】
本発明は、光源部が発した光を導光板の一面から出射させる光源装置及び表示装置に関する。
【背景技術】
【０００２】
液晶表示装置は、液晶表示パネルと光源装置とを備える（特許文献１，２参照）。
従来、エッジライト方式の光源装置が提案されている。エッジライト方式の光源装置は、光源部、導光板、及び光学シート群を備える。
光源部は、光源と、光源が実装された光源基板とを有する。光源は導光板の周面に対向配置され、導光板は光学シート群を介して液晶表示パネルの背面に対面配置される。【０００３】
光源部が発した光は、導光板の周面から導光板の内部に入射する。導光板の内部に入射した光は、導光板の正面から出射する。導光板の正面から出射した光は、光学シート群による拡散及び集光等を経て、液晶表示パネルの背面から液晶表示パネルの内部に入射する。つまり、液晶表示パネルは、光源装置によって、背面側から照明される。【０００４】
特許文献１に記載の液晶表示装置においては、液晶表示パネルを囲繞する枠体に、開口部が設けてある。光源部（文中「ＬＥＤを有する第１の基板」）は、枠体の内部に対し、開口部を通して挿脱可能である。つまり、光源部を交換することが容易である。【０００５】
特許文献２に記載の液晶表示装置においては、導光板は導光体主部とライトガイド部とを一体に有し、光源部は光源及び光源基板と光源基板を保持する光源ホルダとを有する。ライトガイド部には所定のテーパー角を有した傾斜面が設けられており、光源ホルダには光源と導光板の周面との離隔距離（クリアランス）を規定する突起部が設けられている。ライトガイド部の傾斜面に光源ホルダを接触させることによって、クリアランスの精度が向上する。
【先行技術文献】
【特許文献】
【０００６】
【特許文献１】国際公開２００７／１２９４１９号
【特許文献２】特開２００９−１９９８７１公報
【発明の概要】
【発明が解決しようとする課題】
【０００７】
比較的明るい場所（例えば屋外）で使用される液晶表示装置（以下、明所用表示装置という）は、比較的暗い場所（例えば屋内）で使用される液晶表示装置（以下、暗所用表示装置という）に比べて、液晶表示パネルの表示領域が明るい方が好ましい。
このためには、明所用表示装置を構成する光源装置の輝度が、暗所用表示装置を構成する光源装置の輝度より高い必要がある。【０００８】
特許文献１に記載の液晶表示装置の場合、枠体の開口部を通して高輝度の光源部を挿入すれば明所用表示装置を得ることができ、低輝度の光源部を挿入すれば暗所用表示装置を得ることができる。何故ならば、光源部の輝度が高いほど、光源装置は輝度が高くなるからである。
しかしながら、明所用表示装置と暗所用表示装置とで光源部を共通化することができないので、部品点数が増加し、製造コストが増大するという問題がある。【０００９】
特許文献２に記載の液晶表示装置の場合、クリアランスが短い光源部及び導光板を備えれば明所用表示装置を得ることができ、クリアランスが長い光源部及び導光板を備えれば暗所用表示装置を得ることができる。何故ならば、クリアランスが短いほど、光源装置は輝度が高くなるからである。
しかしながら、明所用表示装置と暗所用表示装置とで光源部及び導光板を共通化することができないので、部品点数が増加し、製造コストが増大するという問題がある。【００１０】
本発明は斯かる事情に鑑みてなされたものであり、その主たる目的は、部品点数を増加させることなく異なる輝度のものを得ることができる光源装置及び表示装置を提供することにある。
【課題を解決するための手段】
【００１１】
本発明に係る光源装置は、光源部と、該光源部が発した光を一面から出射する導光板と、前記光源部を、前記導光板の周面に対向させて支持する支持部材とを備える光源装置において、前記支持部材には、前記光源部を取り付けるべき取付部が複数箇所に設けてあり、前記光源部は、複数箇所の内の１箇所の取付部に取り付けられており、各箇所の取付部は、該取付部に取り付けられた場合の前記光源部と前記導光板の周面との対向方向の離隔距離が異なるよう配してあることを特徴とする。【００１２】
本発明に係る光源装置は、前記支持部材は、前記光源部が発した熱を放熱する放熱部材であることを特徴とする。【００１３】
本発明に係る光源装置は、前記光源部は、光源、及び該光源が実装された光源基板を用いてなり、前記支持部材は、少なくとも前記光源を前記導光板の周面に対向させて、前記光源部を支持し、各取付部は前記光源基板が嵌脱可能に嵌め込まれる凹部であることを特徴とする。【００１４】
本発明に係る光源装置は、前記光源部は、光源、該光源が実装された光源基板、及び前記光源部が発した熱を伝達する熱伝達部材を用いてなり、前記支持部材は、少なくとも前記光源を前記導光板の周面に対向させて、前記光源部を支持し、各取付部は前記熱伝達部材が嵌脱可能に嵌め込まれる凹部であることを特徴とする。【００１５】
本発明に係る表示装置は、本発明に係る光源装置と、該光源装置によって背面側から照明される表示パネルとを備えることを特徴とする。【００１６】
本発明にあっては、支持部材が有する複数箇所の取付部と、光源装置に係る複数の異なる輝度とが対応している。
製造者が、光源部と導光板の周面との対向方向の離隔距離が短くなる箇所の取付部に光源部を取り付ければ、輝度が高い光源装置が得られる。一方、製造者が、光源部と導光板の周面との対向方向の離隔距離が長くなる箇所の取付部に光源部を取り付ければ、輝度が低い光源装置が得られる。【００１７】
従って、輝度が高い光源装置と輝度が低い光源装置とで、異なる光源部又は異なる光源部と導光板との組み合わせを用いる必要がない。換言すれば、輝度が高い光源装置と輝度が低い光源装置（及び輝度が高い光源装置を備える表示装置と輝度が低い光源装置を備える表示装置）とで、部品が共通化されている。【００１８】
本発明にあっては、支持部材には光源部が取り付けられているので、光源部が発する熱は支持部材に伝達し易い。支持部材は放熱部材でもあるので、支持部材とは別体の放熱部材を備えている必要がない。
故に、部品点数を減少させることができる。また、光源装置の小型軽量化を容易に図ることができる。【００１９】
本発明にあっては、光源部の光源基板が、凹部である取付部に対して嵌脱可能である。故に、光源部を支持部材に取り付けた後でも、光源と導光板の周面との対向方向の離隔距離を変更することができる。
また、光源部は光源及び光源基板を用いてなる最小限の構成なので、コンパクトである。【００２０】
本発明にあっては、光源部の熱伝達部材が、凹部である取付部に対して嵌脱可能である。故に、光源部を支持部材に取り付けた後でも、光源と導光板の周面との対向方向の離隔距離を変更することができる。
また、熱伝達部材は光源部に係る効率的な放熱に寄与する。
【発明の効果】
【００２１】
本発明の光源装置及び表示装置による場合、製造者が、複数箇所の取付部の内から１箇所を選び、選んだ取付部に光源部を取り付けることによって、所望の輝度の光源装置を得ることができる。
従って、輝度が異なる光源装置同士（及び輝度が異なる光源装置を備える表示装置同士）で、部品を共通化することができる。故に、部品点数を減少させて製造コストを低減させることができる。
【図面の簡単な説明】
【００２２】
【図１】本発明の実施の形態１に係る光源装置を備える表示装置の内部構成を略示する断面図である。
【図２】光源装置が備える導光板、光源部、及びＢＬシャーシの位置関係を説明するための模式的な断面図である。
【図３】導光板、光源部、及びＢＬシャーシの位置関係を説明するための模式的な正面図である。
【図４】導光板、光源部、及びＢＬシャーシの組み立てを説明するための模式的な分解斜視図である。
【図５】本発明の実施の形態２に係る光源装置が備える導光板、光源部、及びＢＬシャーシの位置関係を説明するための模式的な断面図である。
【図６】導光板、光源部、及びＢＬシャーシの位置関係を説明するための模式的な正面図である。
【発明を実施するための形態】
【００２３】
以下、本発明を、その実施の形態を示す図面に基づいて詳述する。以下の説明では、図において矢符で示す上下、前後、及び左右を使用する。
【００２４】
実施の形態  １．
図１は、本発明の実施の形態１に係る光源装置２を備える表示装置１の内部構成を略示する断面図である。
図２及び図３は、光源装置２が備える導光板２２、光源部３、及びＢＬシャーシ４の位置関係を説明するための模式的な断面図及び正面図である。図２は、図３のII−II線の断面図でもある。
図４は、導光板２２、光源部３、及びＢＬシャーシ４の組み立てを説明するための模式的な分解斜視図である。
本実施の形態の表示装置１は、例えばテレビジョン受信機、電子看板、又は、パーソナルコンピュータ用のモニタ等として構成されている。
【００２５】
まず、表示装置１の各部について説明する。
表示装置１は、表示パネル１１、ベゼル１２、Ｐシャーシ１３、緩衝部材１４１，１４２、及び光源装置２を備えている。
光源装置２は、光学シート群２１、導光板２２、反射シート２３、光源部３、及びＢＬシャーシ４を備えている。図２〜図４においては、反射シート２３の図示は省略している。
光源部３は、複数個のＬＥＤ３１，３１，…（光源）とＬＥＤ基板３２（光源基板）とを備えている。
ＢＬシャーシ４は、背板４１、ヒートシンク４２、及びアングル４３〜４５を備えている。図１においては、ＢＬシャーシ４は簡略化して記載してある。
【００２６】
表示パネル１１は液晶表示パネルを用いてなる。表示パネル１１は矩形状であり、縦姿勢で配されている。表示パネル１１は、矩形状の表示領域と表示領域を囲繞する矩形枠状の額縁領域とを有する。表示パネル１１は、正面側のガラス基板と背面側のガラス基板とを有し、２枚のガラス基板の間には液晶が封止されている。表示パネル１１の光透過率は、表示パネル１１の液晶に印加された電圧に応じて変化する。
【００２７】
光源装置２の光学シート群２１は、各矩形状の複数枚の光学シートが積層されてなる。光学シート群２１を構成している各光学シートは、光の拡散機能又は集光機能等を有する。光学シート群２１は、表示パネル１１に背面側から対面配置されている。光学シート群２１は、表示パネル１１の背面側にて表示パネル１１の表示領域を覆う。
【００２８】
導光板２２は矩形板状になしてある。導光板２２は、表示パネル１１及び光学シート群２１に背面側から対面配置されている。
導光板２２は、導光板２２の内部に入射した光が、導光板２２の前面から出射するようにしてある。このために、導光板２２の後面には、図示しない複数の反射部が設けられている。反射部に入射した光は、正面側へ反射する。
【００２９】
反射シート２３は矩形状である。反射シート２３の前面は、導光板２２の後面に密着配置されている。従って、導光板２２の後面から出射した光は、反射シート２３に反射して、再び導光板２２の内部に入射する。
【００３０】
光源部３は、導光板２２の上方に配されている。
ＬＥＤ基板３２は合成樹脂を用いてなり、左右方向に長い横姿勢の矩形状になしてある。ＬＥＤ基板３２の下面は、導光板２２の上端面に対向配置されている。
ＬＥＤ３１，３１，…は、ＬＥＤ基板３２の下面にて左右方向に一列に等配実装してある。ＬＥＤ３１，３１，…と導光板２２の上端面とは、適長離隔して対向配置されている。
光源部３は、ＬＥＤ３１，３１，…及びＬＥＤ基板３２を用いてなる最小限の構成なので、コンパクトである。
【００３１】
なお、光源装置２は、光源部３に替えて、複数個の光源部を備えていてもよい。例えば、２個の光源部が、導光板２２の上下両方又は左右両方に１個ずつ配されていてもよい。
或いは、１個の光源部が、導光板２２の下方、左方、及び右方の何れか一方に配されていてもよい。
【００３２】
ベゼル１２は、前面部１２１と側面部１２２とを有する。
前面部１２１は矩形枠状であり、矩形枠の開口を通して表示パネル１１の表示領域を露出させた状態で、表示パネル１１の額縁領域を正面側から覆う。
側面部１２２は矩形筒状であり、前面部１２１の外周縁部から後ろ向きに突出している。
【００３３】
Ｐシャーシ１３は、ベゼル１２の前面部１２１よりも背面側、且つ、側面部１２２よりも内側に配されている。Ｐシャーシ１３は、基部１３１とスペーサ部１３２とを有する。
基部１３１は、前後方向の矩形筒状であり、ベゼル１２の側面部１２２に外側から覆われている。
【００３４】
スペーサ部１３２は、第１〜第３の板枠部１３ａ〜１３ｃを有している。第１の板枠部１３ａは、基部１３１に直交的に突設されており、表示パネル１１の額縁領域の後面に接触している。表示パネル１１は、矩形枠状の緩衝部材１４１を介して、ベゼル１２の前面部１２１とＰシャーシ１３のスペーサ部１３２との間に挟持されている。
第２の板枠部１３ｂは、導光板２２の４辺部の正面側に対面配置されている。
第３の板枠部１３ｃは、第１及び第２の板枠部１３ａ，１３ｂ夫々に交差する方向に配され、第１及び第２の板枠部１３ａ，１３ｂを連結する。
【００３５】
スペーサ部１３２によって、表示パネル１１と導光板２２との間には空隙が形成される。この空隙に、光学シート群２１が配されており、光学シート群２１は、例えば上辺部がスペーサ部１３２に取り付けられている。
【００３６】
ＢＬシャーシ４は矩形皿状になしてある。
背板４１は金属製板材であり、ＢＬシャーシ４における矩形皿の底壁の一部を構成している。背板４１は、反射シート２３の少なくとも上辺部以外に背面側から対面配置されている。
【００３７】
ヒートシンク４２は、光源支持部４２１と側壁部４２２とを有している断面Ｌ字状の金属製部材である。
光源支持部４２１は、縦姿勢の矩形壁状である。光源支持部４２１の下部は、反射シート２３の上辺部に背面側から対面配置されている。導光板２２及び反射シート２３は、緩衝部材１４２を介して、Ｐシャーシ１３のスペーサ部１３２と光源支持部４２１の下部との間に挟持されている。
【００３８】
光源支持部４２１の上部には、光源部３を取り付けるべき取付部４２３〜４２５が複数箇所（本実施の形態では３箇所）に設けてある。
取付部４２３〜４２５夫々は、光源支持部４２１の前面に設けられている左右方向の溝状の凹部である。取付部４２３〜４２５は、この順に、上側から下側へ並設されている。
３箇所の取付部４２３〜４２５の内、何れか１箇所に、光源部３のＬＥＤ基板３２の後辺部が嵌め込まれる。取付部４２３〜４２５夫々に対するＬＥＤ基板３２の嵌め込みは嵌脱可能である。
【００３９】
光源部３が取付部４２３に取り付けられた場合（不図示）、ＬＥＤ３１，３１，…は、最も長い距離だけ上下方向に離隔して導光板２２の上端面に対向配置される。
図１に示されているように、光源部３が取付部４２４に取り付けられた場合、ＬＥＤ３１，３１，…は、中程度の距離だけ上下方向に離隔して導光板２２の上端面に対向配置される。
図２及び図３に示されているように、光源部３が取付部４２５に取り付けられた場合、ＬＥＤ３１，３１，…は、最も短い距離だけ上下方向に離隔して導光板２２の上端面に対向配置される。
【００４０】
取付部４２３〜４２５の何れかに取り付けられている光源部３のＬＥＤ３１，３１，…が発した熱は、ＬＥＤ基板３２を介して、光源支持部４２１に伝達する。
つまり、ヒートシンク４２は、光源部３を、導光板２２の上端面（周面）に対向させて支持する支持部材としての機能と、光源部３が発した熱を放熱する放熱部材としての機能とを有している。従って、支持部材と放熱部材とが別体である場合よりも部品点数が減少する上に、小型軽量化を図ることができる。
【００４１】
光源支持部４２１の下辺部は、背板４１の上辺部に取り付けられている。光源支持部４２１は、背板４１と共に、ＢＬシャーシ４における矩形皿の底壁を構成している。
【００４２】
側壁部４２２は横姿勢の矩形状であり、光源支持部４２１の上辺部にて直交状に正面側へ突設されている。側壁部４２２は、Ｐシャーシ１３におけるスペーサ部１３２の突設位置よりも背面側にてＰシャーシ１３の基部１３１の内面に取り付けられている。側壁部４２２は、ＢＬシャーシ４における矩形皿の１側壁を構成している。
【００４３】
アングル４３は、各矩形状の第１壁部４ａ及び第２壁部４ｂを有している断面Ｌ字状の金属製部材である。アングル４３の第１壁部４ａは、一辺部が背板４１の下辺部に沿う向きで背板４１の下辺部に取り付けられている。アングル４３の第２壁部４ｂは、第１壁部４ａの他辺部にて直交状に正面側へ突設されている。第２壁部４ｂは、Ｐシャーシ１３におけるスペーサ部１３２の突設位置よりも背面側にてＰシャーシ１３の基部１３１の内面に取り付けられている。第２壁部４ｂは、ＢＬシャーシ４における矩形皿の１側壁（更に詳細には、ヒートシンク４２の側壁部４２２が構成する１側壁に対向する１側壁）を構成している。
【００４４】
アングル４４，４５は、アングル４３と同様の構成である。アングル４４，４５は背板４１の左辺部及び右辺部とヒートシンク４２の光源支持部４２１の左辺部及び右辺部とに取り付けられており、ＢＬシャーシ４における矩形皿の残る２側壁を構成している。
【００４５】
次に、光源装置２による表示パネル１１の照明について説明する。
光源部３が発した光は、導光板２２の上端面から導光板２２の内部に入射する。
導光板２２の内部に入射した光の一部は、導光板２２の前面、後面、又は反射部等にて反射し、やがて前面から光学シート群２１へ出射する。導光板２２の内部に入射した光の他の一部は、導光板２２の後面から出射し、反射シート２３に反射して再び導光板２２の内部に入射する。
【００４６】
光学シート群２１へ出射した光は、光学シート群２１による拡散及び集光等を経て、表示パネル１１の後面から表示パネル１１の内部に入射する。
以上のように、表示パネル１１は、光源装置２によって背面側から照明される。表示パネル１１の内部に入射した光は、表示パネル１１を透過するか、又は、表示パネル１１の通過を遮断される。この結果、表示パネル１１の表示領域に映像が表示される。
【００４７】
次に、光源装置２の輝度の変更について説明する。
光源装置２の輝度は、表示装置１の組み立て時に光源部３をヒートシンク４２の何れの取付部４２３〜４２５に取り付けたかで決定される。
取付部４２３（又は取付部４２５）に光源部３を取り付けた場合、光源部３のＬＥＤ３１，３１，…と導光板２２との離隔距離が最も長い（又は短い）ので、光源装置２の輝度は最も低い（又は高い）。取付部４２４に光源部３を取り付けた場合、光源部３のＬＥＤ３１，３１，…と導光板２２との離隔距離が中程度であるので、光源装置２の輝度は中程度である。
光源装置２が高輝度／低輝度であるほど、表示パネル１１の表示領域は明るく／暗くなる。
【００４８】
故に、明所用（又は暗所用）の表示装置１を製造する場合、製造者は、光源部３をヒートシンク４２の取付部４２５（又は取付部４２３）に取り付ければよい。
また、明所用及び暗所用の別に限定されず、表示装置１の使用者が求める表示パネル１１の表示領域の明るさが明るいか中程度か暗いかに応じて、光源部３をヒートシンク４２の取付部４２５か取付部４２４か取付部４２３に取り付ければよい。
たとえ既に組み立て終えた表示装置１であっても、一旦分解して光源部３の取り付け位置を変更し、再び組み立てなおせば、光源装置２の輝度、延いては表示パネル１１の表示領域の明るさを変更することができる。
【００４９】
以上の結果、輝度が異なる光源装置２，２，…同士、及び表示パネル１１の表示領域の明るさが異なる表示装置１，１，…同士で、全ての部品を共通化することができる。この結果、部品点数を減少させて製造コストを削減することができる。
【００５０】
ところで、特許文献１，２に記載の液晶表示装置におけるクリアランスは所定の１種類のみで選択の余地がない。一方、表示装置１及び光源装置２におけるクリアランスは所定の複数種類の内から選択可能である。
また、特許文献２に記載の液晶表示装置が備える導光板は、所定のテーパー角を有したライトガイド部を必要とする。しかしながら、導光板２２には形状の制限がないので、設計の自由度が高い。
【００５１】
実施の形態  ２．
図５及び図６は、本発明の実施の形態２に係る光源装置２が備える導光板２２、光源部３、及びＢＬシャーシ４の位置関係を説明するための模式的な断面図及び正面図である。
図５及び図６は、実施の形態１の図２及び図３に対応する。図５は、図６のＶ−Ｖ線の断面図でもある。
本実施の形態の光源装置２は、実施の形態１の光源装置２と略同様の構成である。以下では、実施の形態１との差異について説明し、その他、実施の形態１に対応する部分には同一符号を付してそれらの説明を省略する。
【００５２】
光源部３は、ＬＥＤ３１，３１，…、ＬＥＤ基板３２、及び熱伝達部材３３を備えている。
ＬＥＤ３１，３１，…及びＬＥＤ基板３２は何れも実施の形態１のものと同様である。
熱伝達部材３３は、一般的なヒートシンクと同様の熱伝導性を有する金属製部材である。熱伝達部材３３は、基板取付部３３１と基板補強部３３２とを有する。
【００５３】
基板取付部３３１は、左右方向の矩形杆状である。
基板取付部３３１の前面における上下方向中央部には、左右方向の溝状の取付凹部３３３が設けられている。取付凹部３３３には、光源部３のＬＥＤ基板３２の後辺部が嵌め込まれている。取付凹部３３３に対するＬＥＤ基板３２の嵌め込みは嵌脱可能でも不可能でもよい。
基板取付部３３１の後面における上下方向中央部には、左右方向に離隔配置されている２個の取付凸部３３４，３３４（図５に１個だけ図示）が突設されている。各取付凸部３３４は、前後方向の横姿勢の円柱状である。
【００５４】
基板補強部３３２は横姿勢の矩形壁状であり、基板取付部３３１の前面における上部に、取付凹部３３３の開口周縁部に沿って突設されている。取付凹部３３３に嵌め込まれたＬＥＤ基板３２の上面は、基板補強部３３２に接触する。この結果、ＬＥＤ基板３２に対して外力が加えられても、ＬＥＤ基板３２の撓み又は捻じれ等の歪みが生じることが抑制される。
【００５５】
ＢＬシャーシ４は、実施の形態１のヒートシンク４２に替えて、ヒートシンク４６を備えている。
ヒートシンク４６は、実施の形態１の光源支持部４２１に対応する光源支持部４６１と、実施の形態１の側壁部４２２と同様の側壁部４６２とを有している断面Ｌ字状の金属製部材である。
光源支持部４６１は、取付部４６３〜４６５を有している。取付部４６３〜４６５は、実施の形態１の取付部４２３〜４２５に対応する。ただし、取付部４６３〜４６５夫々は、光源支持部４６１の前面に設けられている左右方向に離隔した２個の貫通孔状の凹部であり、光源部３の熱伝達部材３３の取付凸部３３４，３３４に対応している。
【００５６】
表示装置１を組み立てる場合、取付部４６３〜４６５の何れか１箇所に、光源部３の熱伝達部材３３の取付凸部３３４，３３４が嵌め込まれる。取付部４６３〜４６５夫々に対する取付凸部３３４，３３４の嵌め込みは嵌脱可能である。
取付部４６３〜４６５の何れか１箇所に取り付けられている光源部３のＬＥＤ３１，３１，…が発した熱は、ＬＥＤ基板３２及び熱伝達部材３３を介して、光源支持部４６１に伝達する。
【００５７】
熱伝達部材３３は、ＬＥＤ３１，３１，…に係る効率的な放熱に寄与する。また、熱伝達部材３３は、一般に撓み又は捻じれ等の歪みが生じ易いＬＥＤ基板３２を補強する。
製造者は、合成樹脂を用いてなるので剛性が低いＬＥＤ基板３２ではなく、金属を用いてなるので剛性が高い熱伝達部材３３を持って、ヒートシンク４６に対し光源部３を着脱する。この結果、ＬＥＤ基板３２に無用な外力が加えられてＬＥＤ基板３２の歪みの原因となることが抑制される。
【００５８】
光源装置２の輝度は、表示装置１の組み立て時に光源部３をヒートシンク４６の何れの取付部４６３〜４６５に取り付けたかで決定される。故に、表示装置１及び光源装置２は、実施の形態１の表示装置１及び光源装置２と同様の作用効果を奏することができる。
なお、実施の形態１，２においては、本発明の実施の形態における取付部が凹部である場合を例示したが、これに限定されるものではない。例えば、取付部が凸部であり、これを嵌脱可能に嵌め込むべき凹部が光源部に設けられていてもよい。或いは、取付部は、光源部を着脱可能に挟持する挟持部であってもよい。
【００５９】
本発明の実施の形態に係る光源装置は、表示装置１に組み込まれる光源装置２のようなものに限定されない。例えば、光源装置は、携帯電話機又は携帯情報端末装置等が備える表示部のバックライトユニットとして構成されていてもよい。或いは、光源装置は、シーリングライト又は壁掛け照明器具等として構成されていてもよい。
【００６０】
今回開示された実施の形態は、全ての点で例示であって、制限的なものではないと考えられるべきである。本発明の範囲は、上述した意味ではなく、請求の範囲と均等の意味及び請求の範囲内での全ての変更が含まれることが意図される。
また、本発明の効果がある限りにおいて、表示装置１又は光源装置２に、実施の形態１，２に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００６１】
１    表示装置
２    光源装置
１１  表示パネル
２２  導光板
３    光源部
３１  ＬＥＤ（光源）
３２  ＬＥＤ基板（光源基板）
３３  熱伝達部材
４    ヒートシンク（支持部材，放熱部材）
４２３〜４２５，４６３〜４６５  取付部
【図１】
0006505121.tif 000002
【図２】
0006505121.tif 000003
【図３】
0006505121.tif 000004
【図４】
0006505121.tif 000005
【図５】
0006505121.tif 000006
【図６】
0006505121.tif 000007